(57)【特許請求の範囲】
【請求項１】
矩形状の裏面板と、
裏面板上に設けられた電気回路と、
電気回路上に設けられた矩形状の表面板と、
電気回路に接続された複数の配線を有する端子部とを備え、
前記端子部は裏面板上に表面板から外方へ突出するよう設けられるとともに、裏面板の所望の少なくとも一辺に対応して複数設けられ、
裏面板上の当該一辺に対応して設けられた各端子部は、当該一辺に沿った所定領域に集中して配置され、当該所定領域は複数の端子部を含むとともに、当該所定領域の両側に端子部のない非所定領域が形成され、当該一辺に沿った両端部の端子部の配線の横断面積は、中央の端子部の配線の横断面積よりも大きいことを特徴とするフラットパネルディスプレイ。
【請求項２】
前記所定領域は、裏面板の当該一辺に沿った中央に位置することを特徴とする請求項１記載のフラットパネルディスプレイ。
【請求項３】
前記所定領域は、裏面板の当該一辺に沿って複数形成されていることを特徴とする請求項１記載のフラットパネルディスプレイ。
【請求項４】
前記所定領域は、裏面板の当該一辺に沿った両端部近傍に位置することを特徴とする請求項３記載のフラットパネルディスプレイ。
【請求項５】
裏面板及び表面板は各々、長方形となっており、
端子部は、裏面板の隣り合う長辺と短辺に対応して複数設けられ、
裏面板の長辺に対応する端子部が集中する所定領域の数は、裏面板の短辺に対応する端
子部が集中する所定領域の数よりも多いことを特徴とする請求項１記載のフラットパネル
ディスプレイ。
【請求項６】
裏面板の長辺に対応する複数の端子部は、裏面板の長辺の両端部近傍に集中して配置され、
裏面板の短辺に対応する複数の端子部は、裏面板の短辺の中央部近傍に集中して配置されることを特徴とする請求項５記載のフラットパネルディスプレイ。
【請求項７】
端子部の配線は、その配線の長さが長いほど、配線の横断面積が大きくなることを特徴とする請求項１記載のフラットパネルディスプレイ。
【請求項８】
電気回路に接続された各端子部の先端に、端子部を介して電気回路に電流を流す外部電極を接続する電子部品を設けたことを特徴とする請求項１記載のフラットパネルディスプレイ。
【請求項９】
請求項１乃至８のいずれか１項に記載のフラットパネルディスプレイと、
当該フラットパネルディスプレイの電気回路に接続された各端子部の先端に、電子部品を圧着する圧着装置と、
を備えたことを特徴とするフラットパネルディスプレイ製造システム。
【発明の詳細な説明】
【技術分野】
【０００１】
本発明は、大型の形状を有していても、小型のものと同等の条件で製造することができるフラットパネルディスプレイ、及び当該フラットパネルディスプレイを用いたフラットパネルディスプレイ製造システムに関する。
【背景技術】
【０００２】
図５に示すように、フラットパネルディスプレイは、矩形状の裏面板１と、裏面板１上に設けられた電気回路２と、電気回路２上に設けられた矩形状の表面板５（図５に図示せず。但し、図２（ａ）（ｂ）及び図４参照）と、電気回路２に接続された複数の配線３を有する端子部１０とを備えている。そして、当該端子部１０は裏面板１上に表面板５から外方へ突出するよう設けられるとともに、端子部１０の配線３の抵抗を均等するため、裏面板１の辺に対応してほぼ等間隔で設けられている。なお端子部１０は、ドライバＩＣ２６を搭載したＴＣＰ（Tape Carrier Package）２０、又はドライバＩＣを搭載しないＦＰＣ（Flexible Printed Circuit）（図示せず）等の電子部品を介して、外部電極（図示せず）と接続される（特許文献１参照）。
【特許文献１】特開２０００−３４８６３１号公報
【発明の開示】
【発明が解決しようとする課題】
【０００３】
しかしながら、上述のように複数の端子部１０を裏面板１の辺に対応してほぼ等間隔で設けると、端子部１０に、ＴＣＰ２０やＦＰＣ等の電子部品を異方性導電フィルム（Anisotropic Conductive Film、以下「ＡＣＦ」という）を介して圧着する際、以下のような問題が生じる。すなわち、端子部１０に電子部品を圧着する場合、高温・高荷重で圧着するための圧着装置３０（図１に図示せず。但し図２（ａ）（ｂ）及び図４参照）を用いて一括して圧着するが、上述のように複数の端子部１０を等間隔で設けると、端子部１０が裏面板１上に広範囲で配置されるため、圧着装置３０が大きくなってしまう。例えば、４５インチクラスの大型フラットディスプレイでは、長辺が約１１００ｍｍとなり、当該大型フラットディスプレイの各端子部１０にＴＣＰ２０を一括で圧着するには、同程度の長さを有する圧着装置３０が必要となる。
【０００４】
また、上述のように、複数の端子部１０を等間隔で設けると、端子部１０が裏面板１上に広範囲で配置されるため、電子部品を端子部１０に圧着する際、裏面板１の平坦度による影響を受けやすくなってしまう。
【０００５】
さらに、裏面板１としてガラス板を用い、かつＣＯＧ（Ｃｈｉｐ Ｏｎ Ｇｌａｓｓ）プロセスのように直接ドライバＩＣ２６をガラス板上の端子部１０に圧着する場合には、ガラス板が大きくなればなるほど、熱と荷重によるガラス歪が大きくなってしまうため、大型フラットパネルディスプレイを製造することができない。
【０００６】
本発明は、このような点を考慮してなされたものであり、端子部を裏面板の所定領域に集中して配置することによって、多数の端子部が配置される大型のフラットパネルディスプレイであっても、小型のフラットパネルディスプレイと同等の条件で製造することができるものである。
【課題を解決するための手段】
【０００７】
本発明は、矩形状の裏面板と、裏面板上に設けられた電気回路と、電気回路上に設けられた矩形状の表面板と、電気回路に接続された複数の配線を有する端子部とを備え、前記端子部は裏面板上に表面板から外方へ突出するよう設けられるとともに、裏面板の所望の少なくとも一辺に対応して複数設けられ、裏面板上の当該一辺に対応して設けられた各端子部は、当該一辺に沿った所定領域に集中して配置され、当該所定領域は複数の端子部を含むとともに、当該所定領域の両側に端子部のない非所定領域が形成され、当該一辺に沿った両端部の端子部の配線の横断面積は、中央の端子部の配線の横断面積よりも大きいことを特徴とするフラットパネルディスプレイである。
【０００８】
本発明は、前記所定領域は、裏面板の当該一辺に沿った中央部近傍に位置することを特徴とするフラットパネルディスプレイである。
【０００９】
本発明は、前記所定領域は、裏面板の当該一辺に沿って複数形成されていることを特徴とするフラットパネルディスプレイである。
【００１０】
本発明は、前記所定領域は、裏面板の当該一辺に沿った両端部近傍に位置することを特徴とするフラットパネルディスプレイである。
【００１１】
本発明は、裏面板及び表面板は各々、長方形となっており、端子部は、裏面板の隣り合う長辺と短辺に対応して複数設けられ、裏面板の長辺に対応する端子部が集中する所定領域の数は、裏面板の短辺に対応する端子部が集中する所定領域の数よりも多いことを特徴とするフラットパネルディスプレイである。
【００１２】
本発明は、裏面板の長辺に対応する複数の端子部は、裏面板の長辺の両端部近傍に集中して配置され、裏面板の短辺に対応する複数の端子部は、裏面板の短辺の中央部近傍に集中して配置されることを特徴とするフラットパネルディスプレイである。
【００１３】
本発明は、端子部の配線は、その配線の長さが長いほど、配線の横断面積が大きくなることを特徴とするフラットパネルディスプレイである。
【００１４】
本発明は、電気回路に接続された各端子部の先端に、端子部を介して電気回路に電流を流す外部電極を接続する電子部品を設けたことを特徴とするフラットパネルディスプレイである。
【００１５】
本発明は、上記いずれかのフラットパネルディスプレイと、当該フラットパネルディスプレイの電気回路に接続された各端子部の先端に、電子部品を圧着する圧着装置と、を備えたことを特徴とするフラットパネルディスプレイ製造システムである。
【発明の効果】
【００１６】
本発明によれば、端子部を裏面板の所定領域に集中して配置することによって、多数の端子部が配置される大型のフラットパネルディスプレイであっても、端子部を裏面板上の狭い範囲で配置することができるため、小型のフラットパネルディスプレイと同等の条件で製造することができる。
【発明を実施するための最良の形態】
【００１７】
第１の実施の形態
以下、本発明に係るフラットパネルディスプレイの第１の実施の形態について、図面を参照して説明する。ここで、図１及び図２（ａ）（ｂ）は本発明の第１の実施の形態を示す図である。
【００１８】
図１及び図２（ａ）（ｂ）に示すように、フラットパネルディスプレイは、一対の長辺１ａ，１ｃ及び一対の短辺１ｂ，１ｄとを有する長方形状の裏面板１と、裏面板１上に設けられた電気回路２と、電気回路２上に設けられた一対の長辺５ａ，５ｃ及び一対の短辺５ｂ，５ｄとを有する長方形状の表面板５とを備えている。なお図１においては、電気回路２を図示するため、表面板５は図示されていない。
【００１９】
図１及び図２（ａ）（ｂ）に示すように、電気回路２には複数の配線３を有する端子部１０が接続されている。この端子部１０は、裏面板１上に、表面板５から外方へ突出するよう設けられており（図２（ａ）参照）、裏面板１の長辺１ａと、当該長辺１ａに隣接する短辺１ｂに対応して複数設けられている。本実施の形態においては、裏面板１の長辺１ａに対応して６個の端子部１０が設けられ、裏面板１の短辺１ｂに対応して３個の端子部１０が設けられている。
【００２０】
図１及び図２（ａ）に示すように、裏面板１上の長辺１ａに対応して設けられた各端子部１０は、長辺１ａに沿った所定領域５０、すなわち長辺１ａの中央部近傍５０ａに集中して配置されている。また、裏面板１上の短辺１ｂに対応して設けられた各端子部１０は、短辺１ｂに沿った所定領域５０、すなわち短辺１ｂの中央部近傍５０ｂに集中して配置されている。
【００２１】
なお図１に示す端子部１０の配線３は、その長さが長いほど、横断面積が大きくなっている。例えば、裏面板１の長辺１ａに対応する端子部１０のうち、中央の端子部１０の配線３に比べて、両端部の端子部１０の配線３の長さが長くなっており、かつ両端部の端子部１０の配線３の横断面積は、中央の端子部１０の配線３の横断面積よりも大きくなっている。なお、配線３の横断面積が大きくなるとは、具体的には、横断面の幅が広くなったり、横断面の厚みが厚くなったりしていること等を言う。
【００２２】
また図１及び図２（ａ）（ｂ）に示すように、電気回路２に接続された各端子部１０の先端には、端子部１０を介して電気回路２に電流を流す外部電極（図示せず）を接続する電子部品が設けられている。本実施の形態においては、この電子部品としてドライバＩＣ２６を搭載したＴＣＰ２０が用いられている。
【００２３】
図２（ｂ）は、図２（ａ）をII−II線で切断した際の概略断面図である。図２（ｂ）に示すように、ＴＣＰ２０は、ＡＣＦ２１を介して端子部１０に連結されている。このＡＣＦ２１は、圧力を加えることによって導電性を与えることができ、かつ熱によって硬化する熱硬化性の材料でできている。なお、ＡＣＦ２１の代わりに、接着性を持つものであれば、他の適当な材料のものを利用してもよく、また熱ではなく超音波で接着するようなものでもよい。
【００２４】
なお、当該ＴＣＰ２０は、図２（ａ）（ｂ）に示すような圧着装置３０によって、ＡＣＦ２１を介して裏面板１に圧着することができる。この圧着装置３０は、図２（ａ）（ｂ）に示すように、ＴＣＰ２０を上方からシート部材３６を介して押圧しつつ、加熱する圧着ヘッド３１と、圧着ヘッド３１に対向して設けられ、裏面板１を支持する圧力受けユニット３２とを備えている。このうち、シート部材３６は、送り出しローラ４２、ガイドローラ４１，４１及び巻き取りローラ４３によって案内される。なお図２（ａ）においては、説明のため、送り出しローラ４２、巻き取りローラ４３、ガイドローラ４１と送り出しローラ４２との間に設けられているシート部材３６及びガイドローラ４１と巻き取りローラ４３との間に設けられているシート部材３６を図示していない。
【００２５】
次に、このような構成からなる本実施の形態の作用について述べる。
【００２６】
最初に、図２（ａ）（ｂ）を用いて、裏面板１にＡＣＦ２１を介してＴＣＰ２０を圧着する方法について説明する。
【００２７】
まず、裏面板１を圧力受けユニット３２上に配置する。このとき、裏面板１は、端子部１０が圧力受けユニット３２の上方に位置するように配置される。次に、当該端子部１０上にＡＣＦ２１を貼り付ける。その後、ＴＣＰ２０を、ＡＣＦ２１の粘着性を利用して、ＡＣＦ２１上に仮付けする。
【００２８】
次に、圧力受けユニット３２に対向する位置に配置されている圧着ヘッド３１を下降させる。このとき、ＴＣＰ２０は、シート部材３６を介して圧着ヘッド３１によって一括で押圧されつつ、加熱される。ここでＡＣＦ２１は、圧力を加えることによって導電性を与えることができ、かつ熱によって硬化する熱硬化性の材料でできているため、ＡＣＦ２１を加熱しつつ、加圧することによって、ＴＣＰ２０を端子部１０に圧着することができる。
【００２９】
本実施の形態のフラットパネルディスプレイにおいては、図１及び図２（ａ）に示すように、裏面板１上の長辺１ａに対応して設けられた各端子部１０が、長辺１ａの中央部近傍５０ａに集中して配置されている。また、裏面板１上の短辺１ｂに対応して設けられた各端子部１０が、短辺１ｂの中央部近傍５０ｂに集中して配置されている。
【００３０】
このため、多数の端子部１０が用いられ、一般的に端子部１０が広範囲に配置される大型のフラットパネルディスプレイを製造する場合であっても、小型のフラットパネルディスプレイと同等の条件で製造することができる。
【００３１】
すなわち、裏面板１の長辺１ａに対応して設けられた端子部１０が、長辺１ａの中央部近傍５０ａに集中して配置され、裏面板１の短辺１ｂに対応して設けられた端子部１０が、短辺１ｂの中央部近傍５０ｂに集中して配置されているため、圧着装置３０の長手方向の大きさＬを小さくでき、圧着装置３０を小型化することができる（図２（ａ）参照）。また、端子部１０が狭い範囲に集中して配置されるため、ＴＣＰ２０を端子部１０に圧着する際に裏面板１の平坦度によって受ける影響を小さくすることができ、圧着の安定性を向上させることができる。また、裏面板１にガラス板を用いた場合には、当該ガラス板に発生する大きなガラス歪のため、従来では実用化することができなかったＣＯＧプロセスを用いて、大型フラットパネルディスプレイを製品化することができる。さらに、ＴＣＰ２０をＡＣＦ２１上に仮圧着する際に、ＴＣＰ２０を移動させる距離が短くなるため、生産性を向上させることができる。
【００３２】
また、図１及び図２（ａ）（ｂ）に示す端子部１０の配線３は、その長さが長いほど、横断面積が大きくなっているため、各配線３間に生じる抵抗の差を無くし、各配線３の抵抗を均一にすることができる。
【００３３】
第２の実施の形態
次に図３及び図４により本発明の第２の実施の形態について説明する。図３及び図４に示す第２の実施の形態は、裏面板１の長辺１ａに対応して設けられた各端子部１０が、当該長辺１ａに沿った両端部近傍５０ｃ１，５０ｃ２の２箇所に集中して配置されているものであり、他は図１及び図２（ａ）（ｂ）に示す第１の実施の形態と略同一である。
【００３４】
図３及び図４に示す第２の実施の形態において、図１及び図２（ａ）（ｂ）に示す第１の実施の形態と同一部分には同一符号を付して詳細な説明は省略する。
【００３５】
図３及び図４に示すように、複数の端子部１０は、裏面板１の長辺１ａに沿って２箇所に集中して配置されている。具体的には、裏面板１の長辺１ａに対応する複数の端子部１０は、裏面板１の長辺１ａの両端部近傍５０ｃ１，５０ｃ２の２箇所に集中して配置されている。なお、裏面板１の短辺１ｂに対応して設けられる端子部１０は、第１の実施の形態と同様、裏面板１の短辺１ｂに沿った中央部近傍５０ｂに集中して配置されている。
【００３６】
このように、本実施の形態においては、裏面板１の長辺１ａに対応する端子部１０が集中する所定領域５０は２箇所の両端部近傍５０ｃ１，５０ｃ２からなり、裏面板１の短辺１ｂに対応する端子部１０が集中する所定領域５０は１箇所の中央部近傍５０ｂからなっている。
【００３７】
一般的に、裏面板１の長辺１ａ側には、短辺１ｂ側よりも多くの端子部１０が配置されるが、上述のように、裏面板１の長辺１ａに対応する端子部１０が集中する両端部近傍５０ｃ１，５０ｃ２の数を、裏面板１の短辺１ｂに対応する端子部１０が集中する中央部近傍５０ｂの数よりも多くすることによって、裏面板１の長辺１ａの両端部近傍５０ｃ１，５０ｃ２に集中して配置される端子部１０の数と、短辺１ｂの中央部近傍５０ｂに集中して配置される端子部１０の数とを、略均等にすることができる。
【００３８】
本実施の形態においては、裏面板１の短辺１ｂに沿った中央部近傍５０ｂ、及び長辺１ａに沿った両端部近傍５０ｃ１，５０ｃ２に、端子部１０を３個ずつ配置することができる。
【００３９】
このため、一種類の圧着装置３０でＴＣＰ２０を各端子部１０に圧着することができる。また、圧着装置３０の長手方向の大きさＬをより小さくすることができ、圧着装置３０を小型化することができる（図４参照）。
【図面の簡単な説明】
【００４０】
【図１】本発明によるフラットパネルディスプレイの第１の実施の形態を示す概略平面図。
【図２】本発明の第１の実施の形態におけるフラットパネルディスプレイと、圧着装置を示す概略図。
【図３】本発明によるフラットパネルディスプレイの第２の実施の形態を示す概略平面図。
【図４】本発明の第２の実施の形態におけるフラットパネルディスプレイと、圧着装置を示す概略図。
【図５】従来のフラットパネルディスプレイを示す概略平面図。
【符号の説明】
【００４１】
１  裏面板
１ａ，１ｃ  裏面板の長辺
１ｂ，１ｄ  裏面板の短辺
２  電気回路
３  配線
５  表面板
５ａ、５ｃ  表面板の長辺
５ｂ，５ｄ  表面板の短辺
１０  端子部
５０  所定領域
５０ａ  長辺の中央部近傍
５０ｂ  短辺の中央部近傍
５０ｃ１，５０ｃ２  長辺の両端部近傍
２０  ＴＣＰ（電子部品）
【図１】
0004828976.tif 000002
【図２】
0004828976.tif 000003
【図３】
0004828976.tif 000004
【図４】
0004828976.tif 000005
【図５】
0004828976.tif 000006